(57)【要約】【課題】撮影者が撮影前の準備作業または撮影後の確認作業を行うときに、撮影者が撮影可能な表示状態にしておくとともに、撮影者の必要に応じて撮像後の確認作業を行える表示状態に速やかに切り替えることを目的とする。【解決手段】接眼ファインダーが接眼状態と検知されれば、ライブビュー画像を接眼ファインダー内に設けられた第１の画面に表示する。撮影指示を受け付けた後、接眼ファインダーが非接眼状態と検知されれば、撮像画像を接眼ファインダー外に設けられた第２の画面に表示する。接眼ファインダーが非接眼状態と検知されてから第１の時間が経過するまでの間に接眼ファインダーが接眼状態と検知されなければ、第１の画面でのライブビュー画像の表示を停止する。接眼ファインダーが非接眼状態と検知されてから第１の時間が経過するまでの間、ライブビュー画像は第１の画面に表示される。【選択図】図３
2014209712.tif 000002
【特許請求の範囲】
【請求項１】
撮像手段および接眼ファインダーを有する撮像装置であって、
前記接眼ファインダーが接眼状態であるか否かを検知する検知手段と、
前記接眼ファインダーが接眼状態と検知されれば、ライブビュー画像を前記接眼ファインダー内に設けられた第１の画面に表示する第１の表示手段と、
撮像画像を記録媒体に記録するための撮影指示を受け付けた後、前記接眼ファインダーが非接眼状態と検知されれば、前記撮像画像を前記接眼ファインダー外に設けられた第２の画面に表示する第２の表示手段と、
前記第２の表示手段により前記撮像画像が前記第２の画面に表示された後、前記接眼ファインダーが非接眼状態と検知されてから第１の時間が経過するまでの間に前記接眼ファインダーが接眼状態と検知されなければ、前記第１の表示手段による前記ライブビュー画像の表示を停止する第１の停止手段を備えることを特徴とする撮像装置。
【請求項２】
前記第２の表示手段は、前記撮影指示を受け付けてから第２の時間が経過するまでの間に前記接眼ファインダーが非接眼状態と検知されれば、前記撮像画像を前記第２の画面に表示することを特徴とする請求項１に記載の撮像装置。
【請求項３】
前記撮影指示を受け付けた後、前記接眼ファインダーが非接眼状態と検知されてから第３の時間が経過すると、前記第２の表示手段による前記撮像画像の表示を停止する第２の停止手段をさらに備えたことを特徴とする請求項１または２に記載の撮像装置。
【請求項４】
前記第１の停止手段は、前記撮影指示を受け付けてから前記第２の時間が経過するまでの間に前記接眼ファインダーが非接眼状態と検知されず、前記撮影指示を受け付けてから前記第２の時間が経過した後に前記接眼ファインダーが非接眼状態と検知されてから第４の時間が経過すると、前記ライブビュー画像の表示を停止することを特徴とする請求項２に記載の撮像装置。
【請求項５】
撮像手段および接眼ファインダーを有する撮像装置であって、
前記接眼ファインダーが接眼状態であるか否かを検知する検知手段と、
前記接眼ファインダーが接眼状態と検知されれば、ライブビュー画像を前記接眼ファインダー内に設けられた第１の画面に表示する第１の表示手段と、
前記接眼ファインダーが非接眼状態と検知されれば、前記ライブビュー画像を前記接眼ファインダー外に設けられた第２の画面に表示する第２の表示手段と、
前記第２の表示手段により前記ライブビュー画像が前記第２の画面に表示された後、前記接眼ファインダーが非接眼状態と検知されてから第１の時間が経過するまでの間に前記接眼ファインダーが接眼状態と検知されなければ、前記第１の表示手段による前記ライブビュー画像の表示を停止する第１の停止手段を備えることを特徴とする撮像装置。
【請求項６】
撮像手段および接眼ファインダーを有する撮像装置の制御方法であって、
前記接眼ファインダーが接眼状態であるか否かを検知するステップと、
前記接眼ファインダーが接眼状態と検知されれば、ライブビュー画像を前記接眼ファインダー内に設けられた第１の画面に表示するステップと、
撮像画像を記録媒体に記録するための撮影指示を受け付けた後、前記接眼ファインダーが非接眼状態と検知されれば、前記撮像画像を前記接眼ファインダー外に設けられた第２の画面に表示するステップと、
前記撮像画像が前記第２の画面に表示された後、前記接眼ファインダーが非接眼状態と検知されてから第１の時間が経過するまでの間に前記接眼ファインダーが接眼状態と検知されなければ、前記第１の画面での前記ライブビュー画像の表示を停止するステップを備えることを特徴とする制御方法。
【請求項７】
撮像手段および接眼ファインダーを有する撮像装置の制御方法であって、
前記接眼ファインダーが接眼状態であるか否かを検知するステップと、
前記接眼ファインダーが接眼状態と検知されれば、ライブビュー画像を前記接眼ファインダー内に設けられた第１の画面に表示するステップと、
前記接眼ファインダーが非接眼状態と検知されれば、前記ライブビュー画像を前記接眼ファインダー外に設けられた第２の画面に表示するステップと、
前記ライブビュー画像が前記第２の画面に表示された後、前記接眼ファインダーが非接眼状態と検知されてから第１の時間が経過するまでの間に前記接眼ファインダーが接眼状態と検知されなければ、前記ライブビュー画像の前記第１の画面での表示を停止するステップを備えることを特徴とする制御方法。
【請求項８】
撮像手段および接眼ファインダーを有する撮像装置を制御するコンピュータに、
前記接眼ファインダーが接眼状態であるか否かを検知するステップと、
前記接眼ファインダーが接眼状態と検知されれば、ライブビュー画像を前記接眼ファインダー内に設けられた第１の画面に表示するステップと、
撮像画像を記録媒体に記録するための撮影指示を受け付けた後、前記接眼ファインダーが非接眼状態と検知されれば、前記撮像画像を前記接眼ファインダー外に設けられた第２の画面に表示するステップと、
前記撮像画像が前記第２の画面に表示された後、前記接眼ファインダーが非接眼状態と検知されてから第１の時間が経過するまでの間に前記接眼ファインダーが接眼状態と検知されなければ、前記第１の画面での前記ライブビュー画像の表示を停止するステップを実行させることを特徴とするプログラム。
【請求項９】
撮像手段および接眼ファインダーを有する撮像装置を制御するコンピュータに、
前記接眼ファインダーが接眼状態であるか否かを検知するステップと、
前記接眼ファインダーが接眼状態と検知されれば、ライブビュー画像を前記接眼ファインダー内に設けられた第１の画面に表示するステップと、
前記接眼ファインダーが非接眼状態と検知されれば、前記ライブビュー画像を前記接眼ファインダー外に設けられた第２の画面に表示するステップと、
前記ライブビュー画像が前記第２の画面に表示された後、前記接眼ファインダーが非接眼状態と検知されてから第１の時間が経過するまでの間に前記接眼ファインダーが接眼状態と検知されなければ、前記ライブビュー画像の前記第１の画面での表示を停止するステップを実行させることを特徴とするプログラム。
【発明の詳細な説明】
【技術分野】
【０００１】
本発明は、撮像装置、制御方法及びプログラムに関する。
【背景技術】
【０００２】
液晶パネル等の表示手段を備えたデジタルカメラでは、撮影した画像を液晶パネルに表示して確認することが可能である。このようなデジタルカメラにおいては、撮影直後に撮影した画像を、一定時間、液晶パネル等に表示させるレックレビュー機能が一般的に提供されている。
また近年、液晶パネル等の小型化・高精細化等の技術進歩により、光学ファインダーの代わりに、液晶パネル等による電子ビューファインダーを備えるデジタルカメラも普及している。電子ビューファインダーを備えるデジタルカメラは、電子ビューファインダーの他に、カメラ背面に設けられた一般的な液晶パネル等を備えている。このようなデジタルカメラにおいては、２つの表示手段を必要に応じて使い分けることができる。
例えば、特許文献１には、２つの表示手段を備えるデジタルカメラにおいて、一方の表示手段に対する接眼状態に応じて、一方の表示手段にはライブビュー画像、他方の表示手段にはレビュー画像を表示する技術が開示されている。
【先行技術文献】
【特許文献】
【０００３】
【特許文献１】特開２００３−３０９７４５号公報
【発明の概要】
【発明が解決しようとする課題】
【０００４】
しかしながら、上述の特許文献１の技術においては、非接眼状態になった場合には、電子ビューファインダーにおけるライブビュー画像の表示は停止する。このため、使用者は、ライブビュー画像の表示の停止後、撮影を希望する場合には、再度、電子ビューファインダーにライブビュー画像を表示させる必要がある。このように、電子ビューファインダーの表示を再起動するためには、ある程度の時間がかかるため、撮影可能な状態に移行するまでに時間がかかり、次のシャッターチャンスを逃してしまう可能性があるという問題があった。
【０００５】
本発明はこのような問題点に鑑みなされたもので、撮影者が撮影前の準備作業または撮影後の確認作業を行うときに、撮影者がシャッターチャンスを逃すことなく撮影可能な表示状態にしておくことを目的とする。さらに、撮影者の必要に応じて撮像後の確認作業を行える表示状態に速やかに切り替えることを目的とする。
【課題を解決するための手段】
【０００６】
そこで、本発明は、撮像手段および接眼ファインダーを有する撮像装置であって、前記接眼ファインダーが接眼状態であるか否かを検知する検知手段と、前記接眼ファインダーが接眼状態と検知されれば、ライブビュー画像を前記接眼ファインダー内に設けられた第１の画面に表示する第１の表示手段と、撮像画像を記録媒体に記録するための撮影指示を受け付けた後、前記接眼ファインダーが非接眼状態と検知されれば、前記撮像画像を前記接眼ファインダー外に設けられた第２の画面に表示する第２の表示手段と、前記第２の表示手段により前記撮像画像が前記第２の画面に表示された後、前記接眼ファインダーが非接眼状態と検知されてから第１の時間が経過するまでの間に前記接眼ファインダーが接眼状態と検知されなければ、前記第１の表示手段による前記ライブビュー画像の表示を停止する第１の停止手段を備えることを特徴とする。
【発明の効果】
【０００７】
本発明によれば、撮影者が撮影前の準備作業または撮影後の確認作業を行うときに、撮影者がシャッターチャンスを逃すことなく撮影可能な表示状態にしておくとともに、撮影者の必要に応じて撮像後の確認作業を行える表示状態に速やかに切り替えることができる。
【図面の簡単な説明】
【０００８】
【図１】撮像装置の構成の一例を示す図である。
【図２】撮像装置における表示処理を示すフローチャートである。
【図３】撮像装置の表示パネルにおける表示状態を説明するための図である。
【図４】撮像装置における表示処理を示すフローチャートである。
【図５】撮像装置の表示パネルにおける表示状態を説明するための図である。
【発明を実施するための形態】
【０００９】
＜第１の実施形態＞
以下、本発明の実施形態について図面に基づいて説明する。
図１は、撮像装置１００を示す図である。レンズユニット１０は、ズーム機構や絞り機構等を有する。撮像素子１２は、光学像を電気信号に変換する。撮像素子１２としては、例えばＣＣＤ素子が挙げられる。Ａ／Ｄ変換器１４は、撮像素子１２のアナログ出力信号をデジタル信号に変換する。タイミング発生回路１６は、撮像素子１２及びＡ／Ｄ変換器１４、Ｄ／Ａ変換器２８，３２にクロック信号や制御信号を供給する。タイミング発生回路１６は、後述のシステム制御回路７０により制御される。
メモリ制御回路１８は、Ａ／Ｄ変換器１４、画像処理回路２０、メモリ２２、記録媒体２４、圧縮伸長回路２６及びＤ／Ａ変換器２８，３２との間でデータ転送制御を行う。Ａ／Ｄ変換器１４から出力されるデータは、画像処理回路２０及びメモリ制御回路１８を介して、又は画像処理回路２０を介することなくメモリ制御回路１８のみを介して、メモリ２２又は記録媒体２４に書き込まれる。
【００１０】
画像処理回路２０は、Ａ／Ｄ変換器１４から出力されるデータ及びメモリ制御回路１８から出力されるデータに対して、例えば、画素補間処理や色変換処理等の画像処理を実施する。メモリ２２は、撮像された静止画像や動画像の画像処理や圧縮伸長時の作業領域として使用され、また表示画像データの書き込み領域として使用されるメモリである。メモリ２２は、撮像装置１００に内蔵されている。メモリ２２は、所定枚数の静止画像や判定時間の動画像を格納するに十分な記録容量を有しているものとする。また、メモリ２２は、システム制御回路７０の作業領域としても使用され得る。
記録媒体２４は、圧縮された画像データを記録するメモリカードやハードディスク等である。記録媒体２４は、具体的には、半導体メモリや磁気ディスク等である。記録媒体２４は、撮像装置１００に内蔵されていてもよく、また他の例としては、撮像装置１００に着脱可能に節接続されていてもよい。
【００１１】
圧縮伸長回路２６は、例えば、ＪＰＥＧ圧縮等により画像データを圧縮又は伸長する回路である。圧縮伸長回路２６は、記録媒体２４に格納された画像データを読み込んで、圧縮処理又は伸長処理を施し、処理済みのデータをメモリ２２に書き込む。Ｄ／Ａ変換器２８は、デジタル信号をアナログ信号に変換する。背面表示パネル３０は、例えば、ＬＣＤ等で構成される固定式又は可動式の表示パネルである。背面表示パネル３０は、撮像装置１００の背面に設けられており、接眼ファインダー外にある。
メモリ２２に書き込まれた表示用の画像データは、Ｄ／Ａ変換器２８を介して背面表示パネル３０に送信される。背面表示パネル３０は、受信した画像データを表示する。背面表示パネル３０は、具体的には、ライブビュー画像又はレックレビュー画像を表示する。ここで、ライブビュー画像は、撮像素子１２により撮像された撮像画像をリアルタイムに表示する動画である。なお、ライブビュー画像は、適宜撮像素子１２により撮像された静止画であってもよい。ライブビュー画像は、実時間画像の一例である。
レックレビュー画像は、過去に撮像処理において、撮像素子１２により撮像され、メモリ２２に記録されている撮像済画像である。また、レックレビュー画像は、撮像装置１００により撮像され、記録媒体２４に記録された画像を、ユーザが確認するための画像の場合もある。レックレビュー画像は、動画でもよく静止画でもよい。レックレビュー画像は、記録画像の一例である。
【００１２】
Ｄ／Ａ変換器３２は、デジタル信号をアナログ信号に変換する。小型表示パネル３４は、例えば、ＬＣＤ等である。小型表示パネル３４は、撮像装置１００の接眼ファインダー内に設けられている。
メモリ２２に書き込まれた表示用の画像データは、Ｄ／Ａ変換器３２を介して小型表示パネル３４に送信される。小型表示パネル３４は、ライブビュー画像又はレックレビュー画像を表示する。なお、小型表示パネル３４は、第１の画面の一例である。また、背面表示パネル３０は、第２の画面の一例である。
撮像装置１００は、背面表示パネル３０や小型表示パネル３４を用いて、撮像にかかる画像を逐次表示することにより、電子ファインダー機能を実現することができる。また、背面表示パネル３０及び小型表示パネル３４は、例えば合焦表示、手振れ警告表示、フラッシュ充電表示、シャッタースピード表示、絞り値表示、露出補正表示等撮像に必要な情報を適宜表示する。
【００１３】
接眼検知センサー３６は、例えば赤外線センサー等である。接眼検知センサー３６は、接眼ファインダーが接眼状態か否かを検知する。ここで、接眼状態とは、撮像装置１００の使用者が接眼ファインダー内の小型表示パネル３４を覗きこんでいることを接眼検知センサー３６が検知した状態である。一方、接眼検知センサー３６が接眼ファインダーへの覗き込みを検知せず、接眼状態にない場合を非接眼状態と称することとする。
タイマー３８は、各種時を測定する。タイマー３８は、例えば、後述のシステム制御回路７０が使用者により入力された撮像指示を受け付けた時点から、非接眼状態に至るまでの時間測定や、レックレビュー画像の表示を開始した時点から非接眼状態が継続している間の時間測定等を行う。
【００１４】
モードダイヤルスイッチ４０は、撮像装置１００の機能モードを切り替えるためのユーザインタフェースである。使用者は、モードダイヤルスイッチ４０を操作することにより、機能モードを切り替えることができる。本実施形態にかかる撮像装置１００は、機能モードとして、電源オフ、自動撮像モード、マニュアル撮像モード、パノラマ撮像モード、再生モード、動画モード等を有している。
シャッタースイッチ４２は、シャッターボタン４４の使用途中（半押し）で、撮像にかかる動作の開始を指示する。撮像にかかる動作としては、ＡＦ（オートフォーカス）処理、ＡＥ（自動露出）処理、ＡＷＢ（オートホワイトバランス）処理、ＥＦ（フラッシュプリ発光）処理等が挙げられる。
【００１５】
システム制御回路７０は、シャッターボタン４４の使用完了（全押し、即ち使用者指示）を検知すると、露光処理を行う。露光処理において、システム制御回路７０は、Ａ／Ｄ変換器１４に対し、撮像素子１２から出力される信号のデジタル信号への変換開始を指示する。そして、システム制御回路７０は、得られたデジタル信号としての撮像画像を、メモリ制御回路１８を介してメモリ２２に格納する。
システム制御回路７０は、露光処理の後、現像処理、圧縮処理、記録処理等の一連の撮像処理の開始を指示する。ここで、現像処理は、システム制御回路７０と画像処理回路２０とにおいて実行される。圧縮処理は、システム制御回路７０と圧縮伸長回路２６とにおいて実行される。記録処理は、圧縮された画像データを記録媒体２４へ書き込む処理であり、システム制御回路７０により実行される。
【００１６】
ズームレバー４６は、使用者によるズーム操作を受け付ける。ズームレバー４６は、レンズユニット１０へのズーム動作の指示や電子ズーム倍率の指示をシステム制御回路７０に送信する。
フラッシュ４８は、システム制御回路７０の指示に従いＡＦ補助光の投光機能やフラッシュ調光を行う。レンズ制御部５０は、レンズユニット１０を制御する。具体的には、レンズ制御部５０は、システム制御回路７０の指示に従い、レンズユニット１０の焦点制御、ズーム制御、絞り値、シャッタースピードの制御等を行う。メモリ２２は、システム制御回路７０が動作する際に参照する定数、変数、プログラム等を記憶する。
【００１７】
電源制御部６０は、例えば電池検出回路、ＤＣ−ＤＣコンバータ、通電するブロックを切り替えるスイッチ回路等を有している。電源制御部６０は、撮像装置１００の電池装着の有無、電池の種類及び電池残量を検出する。電源制御部６０は、検出結果及びシステム制御回路７０の指示に基づいて、ＤＣ−ＤＣコンバータを制御して、必要な電圧を必要な期間だけ各部に供給する。
電源部６４は、コネクタ６２により電源制御部６０に接続する。電源部６４は、例えばアルカリ電池やリチウム電池等の一次電池、Ｌｉ電池等の二次電池、ＡＣアダプタ等である。
システム制御回路７０は、撮像装置１００を制御する。システム制御回路７０は、例えば接眼検知センサー３６及びタイマー３８から出力される情報に基づいて、背面表示パネル３０及び小型表示パネル３４の表示状態を制御する。
【００１８】
図２は、撮像装置１００による表示処理を示すフローチャートである。撮像装置１００は、表示処理において、背面表示パネル３０及び小型表示パネル３４への表示を制御する。ステップＳ２０１において、撮像装置１００の電源が投入されると、システム制御回路７０は、接眼状態か否かを判定する。具体的には、システム制御回路７０は、接眼検知センサー３６から検知結果を取得し、取得した検知結果に基づいて、接眼状態であるか、非接眼状態であるかを判定する。
ステップＳ２０１において、接眼状態ではない、すなわち非接眼状態であると判定した場合には、システム制御回路７０は、処理をステップＳ２０２へ進める。ステップＳ２０２において、システム制御回路７０は、ライブビュー画像を背面表示パネル３０に表示する。
【００１９】
具体的には、システム制御回路７０は、レンズユニット１０を介した撮像素子１２による撮像によりライブビュー画像を得る。そして、ライブビュー画像は、システム制御回路７０の制御の下、Ａ／Ｄ変換器１４でデジタル信号に変換された後、画像処理回路２０において画像処理が施される。そして、画像処理後のライブビュー画像は、システム制御回路７０の制御の下、Ｄ／Ａ変換器２８によりアナログ信号に変換された後、背面表示パネル３０に表示される。
なお、ステップＳ２０２において、システム制御回路７０は、小型表示パネル３４の表示状態をＯＦＦに制御する。ステップＳ２０２の処理の後、システム制御回路７０は、処理をステップＳ２０４へ進める。
【００２０】
ステップＳ２０１において、接眼状態であると判定した場合には、システム制御回路７０は、処理をＳ２０３へ進める。ステップＳ２０３において、システム制御回路７０は、ライブビュー画像を小型表示パネル３４に表示する。
具体的には、システム制御回路７０は、ステップＳ２０２において説明したのと同様にライブビュー画像を得、画像処理等を施す。そして、画像処理後のライブビュー画像は、システム制御回路７０の制御の下、Ｄ／Ａ変換器３２によりアナログ信号に変換された後、小型表示パネル３４に表示される。
なお、ステップＳ２０３において、システム制御回路７０は、背面表示パネル３０の表示状態をＯＦＦに制御する。ステップＳ２０３の処理の後、システム制御回路７０は、処理をステップＳ２０４へ進める。
【００２１】
ステップＳ２０４において、システム制御回路７０は、使用者による撮像指示の入力の有無を判定する。具体的には、システム制御回路７０は、シャッタースイッチ４２の状態を監視し、使用者がシャッターボタン４４を押下することにより、撮像画像を記録媒体に記録するための撮像指示を入力したか否かを判定する。
ステップＳ２０４において、撮像指示の入力を検知した場合には、システム制御回路７０は、撮像指示の入力を受け付け、処理をステップＳ２０５へ進める。撮像指示を検知しない場合には、システム制御回路７０は、処理をステップＳ２０１へ進める。
【００２２】
ステップＳ２０５において、システム制御回路７０は、撮像処理により撮像画像を得る。そして、システム制御回路７０は、撮像画像を記録媒体２４に記録する。具体的には、システム制御回路７０は、レンズユニット１０、撮像素子１２及びＡ／Ｄ変換器１４を介して画像データを取得する。なお、ここで、画像データは、静止画でもよく動画でもよい。その後、システム制御回路７０は、画像処理回路２０において、取得した画像データに対して、画素補間処理や色変換処理等の画像処理を施す。その後、システム制御回路７０は、圧縮伸長回路２６において、ＪＰＥＧ圧縮等により圧縮したデータを、記録媒体２４に記録する。
次に、ステップＳ２０６において、システム制御回路７０は、小型表示パネル３４の表示状態がＯＮであるか否かを判定する。ステップＳ２０６において、小型表示パネル３４の表示状態がＯＮではないと判定された場合には、システム制御回路７０は、処理をステップＳ２０７へ進める。ステップＳ２０７において、システム制御回路７０は、レックレビュー画像を、背面表示パネル３０に表示する。具体的には、システム制御回路７０は、ステップＳ２０５において撮影され、記録媒体２４に格納された記録画像をレックレビュー画像として表示する。
【００２３】
一方、ステップＳ２０６において、小型表示パネル３４の表示状態がＯＮであると判断された場合には、システム制御回路７０は、処理をステップＳ２０８へ進める。ステップＳ２０８において、システム制御回路７０は、撮像指示を受け付けた時点から判定時間（Ｘ２）が経過するまでの間、接眼検知センサー３６の検知結果に基づいて、非接眼状態を検知したか否かを判定する。ここで、判定時間（Ｘ２）は、背面表示パネル３０にレックレビュー画像を表示するか否かを判定するために予め設定された時間である。判定時間（Ｘ２）は、第２の時間の一例である。
ステップＳ２０８において、非接眼状態を検知したと判定した場合には、システム制御回路７０をステップＳ２０９へ進める。ステップＳ２０９において、システム制御回路７０は、背面表示パネル３０にレックレビュー画像を表示する。なお、このとき、システム制御回路７０は、ステップＳ２０３において開始した、小型表示パネル３４へのライブビュー画像の表示を継続する。
【００２４】
次に、ステップＳ２１０において、システム制御回路７０は、接眼検知センサー３６の検知結果に基づいて、接眼状態を検知したか否かを判定する。具体的には、システム制御回路７０は、ステップＳ２０９において背面表示パネルへの表示を開始した時点、すなわち、非接眼状態を検知した時点から判定時間（Ｘ１）が経過する時点までの間、接眼状態を検知したか否かを判定する。ここで、判定時間（Ｘ１）は、小型表示パネル３４へのライブビュー画像の表示を停止するか否かを判定するために予め設定された時間である。判定時間（Ｘ１）は、第１の時間及び第４の時間の一例である。
ステップＳ２１０において、接眼状態を検知したと判断した場合には、システム制御回路７０は、背面表示パネルへの表示を停止し、処理をステップＳ２０４へ進める。ステップＳ２１０の処理後におけるステップＳ２０４の処理実行時には、小型表示パネル３４にはライブビュー画像が継続して表示されている。このため、使用者は、ライブビュー画像の表示再開までのタイムラグを感じることなく、ライブビュー画像を見ながら、速やかに撮像指示を入力することができる。すなわち、撮像装置１００は、使用者が希望するタイミングにおいて、適切に撮像処理を開始することができる。
【００２５】
一方、ステップＳ２１０において、接眼状態を検知しない場合、すなわち非接眼状態を検知した時点から判定時間（Ｘ１）が経過する時点までの間、非接眼状態が継続した場合には、システム制御回路７０は、処理をステップＳ２１１へ進める。ステップＳ２１１において、システム制御回路７０は、ステップＳ２０３において開始した、小型表示パネル３４へのライブビュー画像の表示を停止する。このとき、システム制御回路７０は、ステップＳ２０９において開始した、背面表示パネルへのレックレビュー画像の表示は継続する。
次に、ステップＳ２１２において、システム制御回路７０は、ステップＳ２０７又はステップＳ２０９において、背面表示パネル３０にレックレビュー画像を表示した時点から判定時間（Ｘ３）が経過したか否かを判定する。ここで、判定時間（Ｘ３）は、背面表示パネル３０へのレックビュー画像の表示を停止するか否かを判定するために予め設定された時間である。
なお、システム制御回路７０は、ステップＳ２０７において背面表示パネル３０にレックレビュー画像を表示した場合には、レックレビュー画像を表示した時点、すなわち非接眼状態を検知した時点から判定時間（Ｘ３）が経過したか否かを判定する。ここで、判定時間（Ｘ３）は、背面表示パネル３０へのレックビュー画像の表示を停止するか否かを判定するために予め設定された時間である。判定時間（Ｘ３）は、第３の時間の一例である。
【００２６】
ステップＳ２１２において、判定時間（Ｘ３）が経過していないと判定した場合には、システム制御回路７０は、判定時間（Ｘ３）が経過するまで、ステップＳ２１２の処理を繰り返し実行する。ステップＳ２１２において、判定時間（Ｘ３）が経過したと判定した場合には、システム制御回路７０は、処理をステップＳ２１３へ進める。
ステップＳ２１３において、システム制御回路７０は、ステップＳ２０７又はステップＳ２０９において表示を開始し、背面表示パネル３０に表示中のレックレビュー画像の表示を停止する。なお、このとき、システム制御回路７０は、例えば使用者からの指示等に従い、背面表示パネル３０に対し、ライブビュー画像を表示してもよい。また、他の例としては、ステップＳ２１３において、背面表示パネル３０へのレックレビュー画像の表示を停止し、さらに、背面表示パネル３０にライブビュー画像を表示することとしてもよい。
【００２７】
また、ステップＳ２０８において、判定時間（Ｘ２）内に非接眼状態を検知しないと判定した場合には、システム制御回路７０は、処理をステップＳ２１４へ進める。ステップＳ２１４において、システム制御回路７０は、引き続き接眼検知センサー３６の検知結果に基づいて、次の撮影指示の入力を受け付ける前に、非接眼状態を検知したか否かを判定する。
ステップＳ２１４において、非接眼状態を検知しないと判定した場合には、システム制御回路７０は、処理をステップＳ２０４へ進める。Ｓ２１４において、非接眼状態を検知した場合には、システム制御回路７０は、処理をステップＳ２１５へ進める。ステップＳ２１５において、システム制御回路７０は、ステップＳ２１４において非接眼状態を検知した時点から判定時間（Ｘ４）が経過するまでの間、非接眼状態が継続しているか否かを判定する。ここで、ここで、判定時間（Ｘ４）は、小型表示パネル３４へのライブビュー画像の表示を停止するか否かを判定するために予め設定された時間である。判定時間（Ｘ４）は、第１の時間の一例である。
【００２８】
ステップＳ２１５において、非接眼状態が判定時間（Ｘ４）の間継続していないと判定した場合には、システム制御回路７０は、処理をＳ２０４へ進める。Ｓ２１５において、非接眼状態が、判定時間（Ｘ４）が経過するまでの間継続していると判定した場合には、システム制御回路７０は、処理をステップＳ２１６へ進める。ステップＳ２１６において、システム制御回路７０は、ステップＳ２０３において開始した小型表示パネル３４へのライブビュー画像の表示を停止する。以上で、表示処理が終了する。
なお、上記判定時間（Ｘ１〜Ｘ４）の値は、いずれも任意の値であり、例えば設計者等が撮像装置１００に対し、予め適切な値を設定したり、適宜変更することができる。また、判定時間（Ｘ１〜Ｘ４）の値は、使用者等からの指示に従い、適宜変更可能としてもよい。
【００２９】
図３は、撮像装置１００への使用者による操作のタイミングと、小型表示パネル３４及び背面表示パネル３０の表示状態との関係を説明するための図である。図３（ａ）は、第１のケースにおける小型表示パネル３４及び背面表示パネル３０の表示状態を示す図である。
ここで、第１のケースとは、使用者が以下のような操作を行うケースである。すなわち、使用者は、まず小型表示パネル３４に接眼した状態において、撮像装置１００を用いて、撮像を行う。その後、使用者は、背面表示パネル３０に撮像した画像を表示させて、撮像画像を確認する。その後、使用者は、再び小型表示パネル３４に接眼した状態で撮像を再開する。
【００３０】
第１のケースにおいては、時刻Ｔ１において、使用者はシャッターボタン４４を介して撮像指示を入力する。その後、時刻Ｔ２において、使用者は、小型表示パネル３４から目を離す。これに対応し、撮像装置１００は、接眼ファインダーの接眼状態を検知しなくなり、代わりに非接眼状態を検知する。図３（ａ）に示す第１のケースにおいては、撮像指示を受け付けてから接眼ファインダーの非接眼状態を検知するまでの「時刻Ｔ２−時刻Ｔ１」の値は、判定時間（Ｘ２）以下である。したがって、ステップＳ２０８の成立条件を満たし（ステップＳ２０８，Ｙｅｓ）、ステップＳ２０９において、システム制御回路７０は、時刻Ｔ２のタイミングにおいて、背面表示パネル３０にレックレビュー画像を表示する。
その後、時刻Ｔ３において、使用者が再び小型表示パネル３４に目を近付けると、撮像装置１００は、接眼ファインダーの接眼状態を検知する。ここで、接眼ファインダーが非接眼状態から接眼状態に変わるまでの「時刻Ｔ３−時刻Ｔ２」の値は、判定時間（Ｘ１）以下である。したがって、ステップＳ２１０の成立条件が満たされ（ステップＳ２１０，Ｙｅｓ）、ステップＳ２０３において、システム制御回路７０は、時刻Ｔ３のタイミングにおいて、背面表示パネル３０のレックビュー画像の表示を停止する。
【００３１】
図３（ｂ）は、第２のケースにおける、小型表示パネル３４及び背面表示パネル３０の表示状態を示す図である。ここで、第２のケースとは、使用者が以下のような操作を行うケースである。すなわち、使用者は、まず小型表示パネル３４に接眼した状態において、撮像装置１００を用いて、撮像を行う。その後、使用者は、背面表示パネル３０に撮像画像を表示させ、その後、使用者は撮影を行わない。
第２のケースにおいては、撮像装置１００は、まず第１のケースと同様に、時刻Ｔ１において撮像指示の入力を受け付け、時刻Ｔ２において非接眼状態を検知する。これに対応し、時刻Ｔ２において、システム制御回路７０は、背面表示パネル３０にレックレビュー画像を表示する（ステップＳ２０８，Ｙｅｓ、ステップＳ２０９）。
【００３２】
その後、接眼ファインダーの非接眼状態の検知から判定時間（Ｘ１）が経過した時刻Ｔ４において、「時刻Ｔ４―時刻Ｔ２」の値が判定時間（Ｘ１）よりも大きくなる。このため、ステップＳ２１０の成立条件は満たされず（ステップＳ２１０，ＮＯ）、ステップＳ２１１において、システム制御回路７０は、時刻Ｔ４のタイミングにおいて、小型表示パネル３４へのライブビュー画像の表示を停止する。
さらに、接眼ファインダーの非接眼状態の検知から判定時間（Ｘ３）が経過した時刻Ｔ５において、「時刻Ｔ５―時刻Ｔ２」の値が判定時間（Ｘ３）以上となる。このため、ステップＳ２１２の成立条件が満たされ（ステップＳ２１２，Ｙｅｓ）、ステップ２１３において、システム制御回路７０は、時刻Ｔ５のタイミングにおいて、背面表示パネル３０へのレックレビュー画像の表示を停止する。
【００３３】
図３（ｃ）は、第３のケースにおける、小型表示パネル３４及び背面表示パネル３０の表示状態を示す図である。ここで、第３のケースは、第２のケースとほぼ同様であるが、第３のケースにおいては、判定時間Ｘ１と判定時間Ｘ３の大小関係が図３（ｂ）に示す第２のケースと異なっている。なお、第２のケースにおいては、判定時間（Ｘ１）は判定時間Ｘ３に比べて小さい。これに対し、第３のケースにおいては、判定時間（Ｘ１）は判定時間Ｘ３に比べて大きい。
第３のケースにおいては、小型表示パネル３４へのライブビュー画像の表示が停止する前に、背面表示パネル３０へのレックレビュー画像の表示が停止する。すなわち、時刻Ｔ２において非接眼状態が検知された後、判定時間（Ｘ３）が経過した時刻Ｔ４において、「時刻Ｔ４−時刻Ｔ２」の値が、判定時間（Ｘ３）以上となる。このため、ステップＳ２１０の成立条件が満たされる（ステップＳ２１２，Ｙｅｓ）。そして、ステップＳ２１３において、システム制御回路７０は、時刻Ｔ４のタイミングにおいて、背面表示パネル３０のレックレビュー画像の表示を停止する。
その後、接眼ファインダーの非接眼状態の検知から判定時間（Ｘ１）が経過した時刻Ｔ５において、「時刻Ｔ５−時刻Ｔ２」の値が、判定時間（Ｘ１）以下となる。このため、ステップＳ２１０の成立条件が満たされない（ステップＳ２１０，Ｎｏ）。このため、ステップＳ２１２において、システム制御回路７０は、時刻Ｔ５のタイミングにおいて、小型表示パネル３４のライブビュー画像の表示を停止する。
【００３４】
図３（ｄ）は、第４のケースにおける、小型表示パネル３４及び背面表示パネル３０の表示状態を示す図である。ここで、第４のケースは、使用者が、撮像装置１００による撮像後、しばらくの間、接眼状態を継続してシャッターチャンスを待ち、その後に、撮像を終了するケースである。
図３（ｄ）に示すように、時刻Ｔ１から判定時間（Ｘ２）が経過した後に、時刻Ｔ６において、非接眼が検知されたとする。この場合には、「時刻Ｔ６−時刻Ｔ１」の値は、判定時間（Ｘ２）以上となる。したがって、ステップＳ２０８の成立条件は満たされず（ステップＳ２０８，Ｎｏ）、小型表示パネル３４のライブビュー画像の表示は継続される。その後、非接眼状態を検知した時点から判定時間（Ｘ４）が経過した時刻Ｔ７において、「時刻Ｔ７−時刻Ｔ６」の値が、判定時間（Ｘ４）以上となる。したがって、ステップＳ２１５の成立条件が満たされ（ステップＳ２１５，Ｙｅｓ）、ステップＳ２１６において、システム制御回路７０は、小型表示パネル３４のライブビュー画像の表示を停止する。
【００３５】
以上のように、本実施形態にかかる撮像装置１００は、小型表示パネル３４にライブビュー画像を継続的に表示しつつ、背面表示パネル３０への表示を適切に切り替える。したがって、撮像装置１００は、使用者が希望するタイミングにおいて、適切に撮像処理を開始することができる。
【００３６】
なお、システム制御回路７０は、ＣＰＵ、ＲＯＭ等を有してもよい。この場合には、上述の撮像装置１００の処理は、ＣＰＵがＲＯＭに格納されているプログラムを読み出し、このプログラムを実行することにより実現することができる。
【００３７】
＜第２の実施形態＞
以下では、第１の実施形態と同様の構成については説明を省略し、本実施形態に特有の構成について詳細に説明する。図４は、撮像装置１００による表示処理を示すフローチャートである。撮像装置１００は、表示処理において、背面表示パネル３０及び小型表示パネル３４への表示を制御する。ステップＳ２０１〜Ｓ２０３は第１の実施形態と同様である。
ステップＳ４０１において、システム制御回路７０は、非接眼状態か否かを判定する。具体的には、システム制御回路７０は、接眼検知センサー３６から検知結果を取得し、取得した検知結果に基づいて、接眼状態であるか、非接眼状態であるかを判定する。
【００３８】
次に、ステップＳ４０２において、システム制御回路７０は、小型表示パネル３４の表示状態がＯＮであるか否かを判定する。ステップＳ４０２において、小型表示パネル３４の表示状態がＯＮではないと判定された場合には、システム制御回路７０は、処理をステップＳ４０４へ進める。ステップＳ４０４において、システム制御回路７０は、ライブビュー画像を、背面表示パネル３０に表示する。
一方、ステップＳ４０２において、小型表示パネル３４の表示状態がＯＮであると判断された場合には、システム制御回路７０は、処理をステップＳ４０３へ進める。ステップＳ４０３において、システム制御回路７０は、背面表示パネル３０にもライブビュー画像を表示する。
【００３９】
次に、ステップＳ４０５において、システム制御回路７０は、接眼検知センサー３６の検知結果に基づいて、接眼状態を検知したか否かを判定する。具体的には、システム制御回路７０は、ステップＳ４０３において背面表示パネルへの表示を開始した時点、すなわち、非接眼状態を検知した時点から判定時間（Ｘ１）が経過する時点までの間、接眼状態を検知したか否かを判定する。
ここで、判定時間（Ｘ１）は、小型表示パネル３４へのライブビュー画像の表示を停止するか否かを判定するために予め設定された時間である。判定時間（Ｘ１）は、一例であり、第１の実施形態における判定時間（Ｘ１）と同じであってもよいし、異なっていてもよい。
【００４０】
ステップＳ４０５において、接眼状態を検知したと判断した場合には、システム制御回路７０は、背面表示パネルへのライブビュー画像の表示を停止し、処理をステップＳ４０１へ進める。
一方、ステップＳ４０５において、接眼状態を検知しない場合、すなわち非接眼状態を検知した時点から判定時間（Ｘ１）が経過する時点までの間、非接眼状態が継続した場合には、システム制御回路７０は、処理をステップＳ４０６へ進める。ステップＳ４０６において、システム制御回路７０は、ステップＳ２０３において開始した、小型表示パネル３４へのライブビュー画像の表示を停止する。
【００４１】
図５は、撮像装置１００への使用者による操作のタイミングと、小型表示パネル３４及び背面表示パネル３０の表示状態との関係を説明するための図である。図５は小型表示パネル３４及び背面表示パネル３０の表示状態を示す図であり、使用者が以下のような操作を行うケースである。すなわち、使用者は、まず小型表示パネル３４に接眼した状態において、撮像装置１００を用いて、撮像を行う。よって接眼ファインダーが接眼状態であるので、小型表示パネル３４にはライブビュー画像が表示されている。
【００４２】
図５（ａ）に示す第１のケースにおいては、時刻Ｔ２において、接眼ファインダーの非接眼状態を検知すると（ステップＳ４０１でＹｅｓ）、ライブビュー画像の背面表示パネル３０での表示を開始する（ステップＳ４０３）。そして、接眼ファインダーの非接眼状態を検知した後、時刻Ｔ３において、使用者が再び小型表示パネル３４に目を近付けると、撮像装置１００は、接眼ファインダーの接眼状態を検知する。接眼ファインダーが非接眼状態から接眼状態に変わるまでの「時刻Ｔ３−時刻Ｔ２」の値は、判定時間（Ｘ１）以下である。したがって、ステップＳ４０５の成立条件を満たし（ステップＳ４０５，Ｙｅｓ）、システム制御回路７０は、時刻Ｔ３において、背面表示パネル３０でのライブビュー画像の表示を終了する（ステップＳ４０７）。ここで、小型表示パネル３４でのライブビュー表示は継続する。
図５（ｂ）に示す第２のケースにおいては、時刻Ｔ２において、接眼ファインダーの非接眼状態を検知すると（ステップＳ４０１でＹｅｓ）、ライブビュー画像の背面表示パネル３０での表示を開始する（ステップＳ４０３）。そして、接眼ファインダーの非接眼状態を検知した後、判定時間（Ｘ１）の間、使用者が再び小型表示パネル３４に目を近付けることなく、撮像装置１００は、接眼ファインダーの接眼状態を検知しない。接眼ファインダーが非接眼状態になった後、判定時間（Ｘ１）が経過した時刻Ｔ４において、システム制御回路７０は、小型表示パネル３４でのライブビュー表示を終了する（ステップＳ４０６）。ここで、背面表示パネル３０でのライブビュー表示は継続する。
【００４３】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給する。そして、そのシステム或いは装置のコンピュータ（又はＣＰＵやＭＰＵ等）がプログラムを読み出して実行する処理である。
【００４４】
以上、上述した各実施形態によれば、２つの表示手段の表示を適切に制御することにより、使用者が希望するタイミングにおいて、適切に撮像処理を開始することができる。
【００４５】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００４６】
１０レンズユニット、１２  撮像素子、１６  タイミング発生回路、１８  メモリ制御回路、２２  メモリ、２４  記録媒体、３０  背面表示パネル、３４  小型表示パネル、３６  接眼検知センサー、３８  タイマー、７０  システム制御回路、１００  撮像装置
【図１】
2014209712.tif 000003
【図２】
2014209712.tif 000004
【図３】
2014209712.tif 000005
【図４】
2014209712.tif 000006
【図５】
2014209712.tif 000007